(57)【要約】      （修正有）【課題】人が歩行するときに履くための革、ゴム、布又は木等で製作された履物に於いて該履物の底面部等に敷く消臭機能を備えた中敷の技術を提供する。【解決手段】中敷４の土踏まず部位には所望数かつ多数個の小孔４ａ、４ａ・・・・を貫通して形成している。この土踏まず部位に相当する位置の裏面又は下面には略矩形状の消臭ケース５を固定している。この消臭ケース５は基板５ａと、基板５ａを覆設する略箱状に形成した蓋底部５ｂと、消臭ケース５内に収納された複数板又は単一で構成される消臭シート６、６・・・を収納した後に新規なものと交換して出し入れ可能にしかつ密閉する側片５ｃとを有している。この側片５ｃの自由端及び中敷４の段差部または基板５ａに固定手段が固着されている。【選択図】図２
0003139556.tif 000002
【実用新案登録請求の範囲】
【請求項１】
土踏まず部位に所望数かつ多数個の小孔を貫通形成した中敷と、該中敷の土踏まず部位に相当する位置の裏面に固定した消臭ケースとでなる構成において、前記消臭ケースが基板と、該基板を覆設しかつ多数の通気孔を貫通配置した蓋底部と、該蓋底部に一端を固定しかつ所望枚数の消臭シートを収納した前記消臭ケースを閉止・開放する固定手段を自由端に備えた側片とを有したことを特徴とする履物に於ける消臭機能を備えた中敷。
【請求項２】
土踏まず部位に所望数かつ多数個の小孔を貫通形成した中敷と、該中敷の土踏まず部位に相当する位置の裏面に固定した消臭袋体とでなる構成において、前記消臭袋体は内部に脱臭剤を密封すると共に全体が薄膜状又は薄板状であって、該中敷の裏面側に隣接しかつ多数個の通気孔を形成した上蓋と、該上蓋に連なりかつ左右側に形成しかつ自由端に該消臭袋体を中敷から脱着可能にする固定手段を備えた側面部と、該側面部に連なり底部に形成しかつ多数個の通気孔を形成した下蓋とを有したことを特徴とする履物に於ける消臭機能を備えた中敷。
【考案の詳細な説明】
【技術分野】
【０００１】
本考案は、人が歩行するときに履くための革、ゴム、布又は木等で製作された履物に於いて該履物の底面部等に敷く消臭機能を備えた中敷に関する。
【背景技術】
【０００２】
この種、従来の技術に於ける例としては、図６に示す実開平６−１０７号公開実用新案公報に開示された技術がある。
これについて説明すれば、１は足型に切断した紙であり、その表・裏面に消臭・芳香剤を塗布し又は吸着している。１ａは該紙１の中に貫通させて図６（ａ）に示すように多数個を穿孔した貫通孔である。この足型に切断した紙１の表・裏面に図６（ｂ）に示すように薄板状のポリ膜２を張り付けて被覆する。そして、非通気性材料でなるポリ袋３で前記足型に切断した紙１を密封して構成する。而して、当該従来の技術は、使用するときは、上記ポリ袋３を開封し、足型に切断して紙１を履物の底部（図示せず）に敷く。使用中に足の裏から発汗すれば紙１が汗を吸着すると共に紙１に吸着させていた消臭・芳香剤が多数個の貫通孔１ａ・・・・から図６（ｂ）の矢印ａ方向に示すように履物の中に拡散する。そこでこの消臭・芳香剤が消臭力を発揮し、足の臭いを消すことができる。そしてこの技術は適当な期間使用後にこの中敷を使い捨て、新規な中敷と交換する特徴を有する。
【特許文献１】実開平６−１０７号公開実用新案公報
【考案の開示】
【考案が解決しようとする課題】
【０００３】
従来の技術は、叙上の構成であるので次の課題が存在した。
図６に示す従来技術に於いては、先ず、ポリ袋３に密封した消臭・芳香剤を吸着または塗布した紙１は適宜の期間使用した後は全て使い捨てとなり使用期間が短く新たな紙１、つまり中敷を買求める必要があり不経済であると共に、不用物処理となりごみが累積するという問題点があった。また、使用開始の際、ポリ袋３を密封状態から常に開封し、この中に入っている紙１を取り出す手間が必要となり使用勝手が不便であるという問題点があった。
そして、使い捨ての紙１つまり中敷であるため該紙１が脆弱に製作され、特に湿気に弱いということから中敷としての機能を果たすことができないという問題点もあった。
本考案が解決しようとする課題は、上記背景技術に存在する問題点を解決することにある。
【課題を解決するための手段】
【０００４】
本考案に係る履物に於ける消臭機能を備えた中敷は叙上の問題点を解決すべく考案したものであって、次の構成、手段から成立する。
【０００５】
すなわち、請求項１記載の考案によれば、土踏まず部位に所望数かつ多数個の小孔を貫通形成した中敷と、該中敷の土踏まず部位に相当する位置の裏面に固定した消臭ケースとでなる構成において、前記消臭ケースが基板と、該基板を覆設しかつ多数の通気孔を貫通配置した蓋底部と、該蓋底部に一端を固定しかつ所望枚数の消臭シートを収納した前記消臭ケースを閉止・開放する固定手段を自由端に備えた側片とを有したことを特徴とする。
【０００６】
請求項２記載の考案によれば、土踏まず部位に所望数かつ多数個の小孔を貫通形成した中敷と、該中敷の土踏まず部位に相当する位置の裏面に固定した消臭袋体とでなる構成において、前記消臭袋体は内部に脱臭剤を密封すると共に全体が薄膜状又は薄板状であって、該中敷の裏面側に隣接しかつ多数個の通気孔を形成した上蓋と、該上蓋に連なりかつ左右側に形成しかつ自由端に該消臭袋体を中敷から脱着可能にする固定手段を備えた側面部と、該側面部に連なり底部に形成しかつ多数個の通気孔を形成した下蓋とを有したことを特徴とする。
【考案の効果】
【０００７】
本考案に係る履物に於ける消臭機能を備えた中敷は、叙上の構成を有するので次の効果がある。
【０００８】
すなわち、請求項１記載の考案によれば、土踏まず部位に所望数かつ多数個の小孔を貫通形成した中敷と、該中敷の土踏まず部位に相当する位置の裏面に固定した消臭ケースとでなる構成において、前記消臭ケースが基板と、該基板を覆設しかつ多数の通気孔を貫通配置した蓋底部と、該蓋底部に一端を固定しかつ所望枚数の消臭シートを収納した前記消臭ケースを閉止・開放する固定手段を自由端に備えた側片とを有したことを特徴とする履物に於ける消臭機能を備えた中敷を提供する。
このような構成としたので、使用済み後に於いては中敷の本体は廃棄することなく消臭シートのみを消臭ケースから容易に取出し、新規な消臭シートと交換可能な技術であり、経済的効果に加えその実現性が極めて高く、常に使用者の人足から生じる臭いを消臭することができるという効果がある。
【０００９】
また、請求項２記載の考案によれば、土踏まず部位に所望数かつ多数個の小孔を貫通形成した中敷と、該中敷の土踏まず部位に相当する位置の裏面に固定した消臭袋体とでなる構成において、前記消臭袋体は内部に脱臭剤を密封すると共に全体が薄膜状又は薄板状であって、該中敷の裏面側に隣接しかつ多数個の通気孔を形成した上蓋と、該上蓋に連なりかつ左右側に形成しかつ自由端に該消臭袋体を中敷から脱着可能にする固定手段を備えた側面部と、該側面部に連なり底部に形成しかつ多数個の通気孔を形成した下蓋とを有したことを特徴とする履物に於ける消臭機能を備えた中敷を提供する。
このような構成としたので、請求項１記載の考案の効果に加えて使用済みの際は中敷本体を廃棄することがなく消臭袋体のみを新規なものと容易に交換可能であり、該消臭袋体を別物として製造管理ができ市場性に富むという効果がある。
【考案を実施するための最良の形態】
【００１０】
以下、本考案に係る履物に於ける消臭機能を備えた中敷の実施の形態について添付図面に基づき詳細に説明する。
【００１１】
図１は、本考案に係る履物に於ける消臭機能を備えた中敷の実施の形態を示す図面であって、当該中敷の一方足側を示す裏面図である。図２は図１の矢視Ｂ−Ｂ線方向の部分断面を示す側面図である。
【００１２】
４は例えば人が歩行するとき履くための革製、ゴム製、布製、又は木製等履物の底面部に敷く中敷であって、一方足側、本例では右足側の中敷である。該中敷４は図２に示すように例えば上・下２枚の略薄板状の構造物を加熱手段により融着して張り合わせて構成する場合や本例のように１枚の薄板状の構造物で製作することがある。
【００１３】
また、当該中敷４は、例えばエチレン−酢酸ビニル共重合樹脂（ＥＶＡ）材料やポリエステル材料、ナイロン材料等で薄板状に形成され、また、柔軟性や弾力性に冨み、軽量かつ無公害の素材であり、ポリエチレンの如き塩素を包含せず焼却してもダイオキシンが発生せず環境上好ましい材料である。また風雨や紫外線にも強く劣化せず耐久性に優れている。
【００１４】
該中敷４の土踏まず部位には所望数かつ多数個の小孔４ａ、４ａ・・・・を貫通して形成している。この土踏まず部位に相当する位置の裏面又は下面には略矩形状の消臭ケース５を固定している。この消臭ケース５は基板５ａと、基板５ａを覆設する略箱状に形成した蓋底部５ｂと、消臭ケース５内に収納された複数板又は単一で構成される消臭シート６、６・・・を収納した後に新規なものと交換して出し入れ可能にしかつ密閉する側片５ｃとを有している。この側片５ｃは蓋底部５ｂと一体でもよいがその一端を連結部品で回動自在に連結又は固定してもよい。この消臭ケース５の蓋底部５ｂの底壁には多数個又は複数個の通気孔５ｄ、５ｄ・・・を穿孔している。この側片５ｃの自由端及び中敷４の段差部４ｂまたは基板５ａには図３に示すように固定手段７が固着されている。
【００１５】
前記消臭ケース５の基体５ａと蓋底部５ｂとは一体形成してもよくまた、別体として製作し、例えば、該蓋底部５ｂの裾を該基体５ａに固着する。尚、該基体５ａにも消臭ケース５内に収納した消臭シート６、６から飛散する消臭の匂いが中敷４から外部へ放出するように前記小孔４ａ、４ａ・・・・と連通する孔が形成されている。また、前記基板５ａは省略し、略箱状に形成した蓋底部５ｂを直接に中敷４の裏面（下面）に固定してもよい。
【００１６】
前記消臭シート６、６・・・は図２及び図３に示す例では３枚の消臭シート６、６・・・で構成されているが単一のものでもよくまた適宜枚数を増減してもよいことは勿論である。
この消臭シート６、６・・・は例えば消臭物質を塗布することが可能なシートや厚紙、スポンジ状のゴム体等でなると共に曲折可能な薄板状に構成する。そして、このシートや厚紙等に香水やバラに花、ラベンダー、沈香などの匂い物質を染込ませて構成する。また殺菌物質や水虫の薬剤を染込ませる。またこの消臭シート６、６・・・には表・裏面から薬剤や消臭物質または効能物質等が溶解して外部に放出しないようにビニール等の素材で被覆することもできる。スポンジ状のゴム体等で構成される該消臭シート６、６の場合、表面の拡散口数を調整し、消臭物質の拡散量や拡散時間を調整する。
【００１７】
次に図３及び図４に基づき固定手段７について説明する。
固定手段７は例えば接着テープ、ファスナー等、一方が雌、他方が雄の組合せでなる閉止部品である。図３に示す固定手段７はは一方の雌（又は雄）７ａが中敷４の段差部４ｂに固着し、他方の雄（又は雌）７ｂが側片５ｃの自由端に固着している。この両者を閉止することにより密着状態になり、側片５ｃが中敷４に閉止する。消臭シート６、６・・・を交換するために使用済みの消臭シート６、６を取出す場合は、該側片５ｃを強制的に開放すれば他方の雄（又は雌）７ｂが一方の雌（又は雄）７ａから離脱する。なお中敷４の段差部４ｂはこれを設けないときも消臭ケース５の基板５ａが代用する。
【００１８】
図４に示すようにほかの固定手段７Ａは例えばピン係合具で構成することができる。該固定手段７Ａの一方は係止穴７Ａ１を中敷４の段差部４ｂに及び該固定手段７Ａの他方は突起ピン７Ａ２を側片５ｃの自由端にそれぞれ固着している。この両者を閉止することにより密着状態になり、側片５ｃが中敷４に閉止する。
【００１９】
次に、本考案に係る履物に於ける消臭機能を備えた中敷の構造に於ける実施の形態についてその動作等を説明する。
消臭ケース５内に収納された消臭シート６、６・・・は当該中敷４を使用する者が使用中に於いて、図２ないし図４に示すように通気孔５ｄ、５ｄ・・・から矢印ｂ方向に及び小孔４ａ、４ａ・・・・から矢印ｃ方向に匂いが放散する。このようにして匂いが使用者の足の裏から全体に及んでこの良好な匂いを撒き散らす。使用者は常に足裏から発する発汗による悪臭を消臭し快適な状態で歩行することができる。また、この中敷４を一定時間使用すれば側片５ｃを開放し消臭ケース５内の消臭シート６、６・・・を取出し新規な消臭シート６、６・・・を消臭ケース５内に挿入し、再び当該中敷４を使用することができる。
【実施例】
【００２０】
図５は本考案の実施例を示すものであって要部を切断した垂直断面図である。
前述した図１ないし図３に示す実施の形態に係る中敷４と相違する点は消臭ケース５に代えて消臭袋体５Ａを設けたことである。該消臭袋体５Ａは薄膜状又は薄板状の例えば、ポリ塩化ビニールと同等の材料で全体を袋状に成形する。該消臭袋体５Ａの中にはこれを製作すると同時に脱臭剤（消臭剤）８・・・を密封する。この脱臭剤８は例えば、活性炭や備長炭等のカーボンの粉粒体で成り、使用者は中敷４を使用するに際し、常に足裏から発する発汗による悪臭を消臭し快適な状態で歩行することができる。
【００２１】
前記消臭袋体５Ａは、中敷４の裏側に隣接した上蓋５Ａ１と、この上蓋５Ａ１に連なりかつ該下蓋５Ａ２の左・右１側に形成した側面部５Ａ３と、この側面部５Ａ３に連なり底部に形成した下蓋５Ａ２とでなる。該上蓋５Ａ１には中敷４の小孔４ａ、４ａ・・・・に連通する通気孔５ｅを複数個または多数個形成する。また、該下蓋５Ａ２には該通気孔５ｅと略同一の通気孔５ｆ、５ｆを複数個または多数個形成する。そして前記上蓋５Ａ１と下蓋５Ａ２との結合部分には固定手段７Ｂを周設・配置する。この固定手段７Ｂは消臭袋体５Ａを中敷４から脱着可能にし上述した固定手段７、及び７Ａと略同一のものを使用することもできる。当該消臭袋体５Ａは使い捨て可能であることから軽微駆る簡単な固定手段で構成することもできる。
【００２２】
次に当該実施例に基づき本考案に係る履物に於ける消臭機能を備えた中敷についてその動作等を説明する。
消臭袋体５Ａ内に収納された脱臭剤（消臭剤）８・・・は当該中敷４を使用する者が使用中に於いて図５に示すように一方では通気孔５ｆから矢印ｂ方向に、他方では通気孔５ｅから矢印ｄ方向にそして中敷４の小孔４ａから矢印ｃ方向に脱臭剤８・・・から脱臭された空気が放出する。このようにして使用者は常に足裏から発する発汗による悪臭を消臭し快適な状態で歩行することができる。そしてこの中敷４は一定時間使用すれば固定手段７Ｂを中敷４から離脱させて使用済みの消臭袋体５Ａを中敷４の裏面から取り外すと共に新規な消臭袋体５Ａと交換する。
【図面の簡単な説明】
【００２３】
【図１】本考案に係る履物に於ける消臭機能を備えた中敷の構造の実施の形態を示す図面であって、当該履物の一方足側を示す裏面図である。
【図２】図１の矢視Ｂ−Ｂ線方向の部分断面を示す側面図である。
【図３】本考案に係る履物に於ける消臭機能を備えた中敷の裏面に固定された消臭ケースの側片が開・閉する固定手段を示す要部拡大断面図である。
【図４】本考案に係る履物に於ける消臭機能を備えた中敷の構造の他の固定手段を示す要部拡大断面図である。
【図５】本考案に係る履物に於ける消臭機能を備えた中敷の構造に於ける実施例を示す要部拡大図面である。
【図６】従来の技術に於ける中敷の構造を示す断面図であって、(ａ)は斜視図、（ｂ）は(ａ)の矢視Ａ−Ａ線方向の拡大断面図である。
【符号の説明】
【００２４】
４        履物の中敷
４ａ      履物の中敷の小孔
４ｂ      履物の中敷の段差部
５        消臭ケース
５ａ      消臭ケースの基板
５ｂ      消臭ケースの蓋底部
５ｃ      消臭ケースの側片
５ｄ      消臭ケースの通気孔
５ｅ      消臭袋体の上蓋の通気孔
５ｆ      消臭袋体の下蓋の通気孔
５Ａ      消臭袋体
５Ａ１    消臭袋体の上蓋
５Ａ２    消臭袋体の下蓋
５Ａ３    消臭袋体の側面部
６        消臭シート
７        固定手段
７ａ      固定手段の一方の雌（雄）
７ｂ      固定手段の他方の雄（雌）
７Ａ        固定手段
７Ａ１      固定手段の係止穴
７Ａ２      固定手段の突起ピン
８        脱臭剤
【図１】
0003139556.tif 000003
【図２】
0003139556.tif 000004
【図３】
0003139556.tif 000005
【図４】
0003139556.tif 000006
【図５】
0003139556.tif 000007
【図６】
0003139556.tif 000008